Podtech/llm-jp-corpus-v4-ja_patent huggingface dataset:
(57)【要約】【課題】本考案は位牌式プレート付き写真立てに遺品収納箱を設け、ペットの遺品紛失等の混乱を防ぐ。【解決手段】本考案は写真立てにペットの写真を入れ、位牌様式プレートにペットの名前を記入し、背面に遺品収納箱を設けることで収納を一体化し、遺品紛失等の混乱を避ける。【選択図】  図１
0003109254.tif 000002
【実用新案登録請求の範囲】
【請求項１】
ガラスの写真立ての前面にフュージング技法もしくはサンドブラスト技法による位牌様式プレートを設け、背面に観音開きの扉をステンド様式ではんだどめしたその中にペットの遺品保管箱を置いた簡易式のペット仏壇。
【考案の詳細な説明】
【技術分野】
【０００１】  本考案は写真とペットの遺品の収納を一体化させた写真立て式のペット仏壇に関するものである。
【背景技術】
【０００２】  従来より仏壇は人に対してのものであり、ペットに関しては他の物で代用されており、写真と遺品は別々に保管されていた。
【考案の開示】
【考案が解決しようとする課題】
【０００３】  これには次のような欠点があった。
イ．箱などの代用品では中の収納物がわかりづらく、周囲が混乱した。
ロ．ペットの写真と遺品を一カ所に収納できないもどかしさがあった。
ハ．ペットを数種類飼っていた場合はペットの写真と遺品が別々になってしまい、また置き場所が増えてしまい、紛失の不安もあった。
ニ．旅行やイベント会場へ写真と遺品を同時に運びたい時は気軽にできない不便があった。
ホ．ペットの遺品を保管していることを他に知られたくない人は困惑した。
ヘ．ペットの遺品を一匹に対して数種類保管したいとき、一カ所に同時に保管できる収納を探す苦労があった。
ト．身近にどこへでも置けてペットを偲ぶことは不自由であった。そのためにペットとの思い出も薄れがちであった。
チ．ペットに対しては位牌を設けることが難しく、尊ぶことに不満があった。
本考案はこれらの欠点や不便を解決するために考案されたものである。
【課題を解決するための手段】
【０００４】  ガラス（１）の写真立て（２）の前面部分（３）に位牌様式プレート（４）を接着もしくははんだどめをするスペースを設ける。ガラス（１）の写真立て（２）の背面には真鍮管（７）にて観音開きの扉（５）を設け、中に一個ないしは数個のガラス製蓋付き保管箱（６）を収納する。
本考案は以上の構成からなる写真立て式ペット仏壇である。
【考案を実施するための最良の形態】
【０００５】  ガラス（１）の写真立て（２）の裏側に写真（８）を入れる写真安定板（９）を設ける。位牌様式プレート（４）はガラスの表面に卒日、俗名、卒日の年齢を手書きまたはサンドブラスト技法またはフュージング技法で記入したものを予め作成し、写真立て（２）の前面部分（３）に接着もしくはステンド様式ではんだどめをする。写真立て（２）の裏の写真安定板（９）に真鍮管（７）を設け、観音開きの扉（５）をはんだどめをする。観音開きの扉（５）の中には希望に応じて一個ないしは数個のガラス製蓋付き保管箱（６）を収納する。観音開きの扉（５）を閉めてしまえば外からはガラス製蓋付き保管箱（６）は見ることはできず、遺品を保管してあるとはわかりづらい構造になっている。
【考案の効果】
【０００６】  本考案を使用することによって位牌様式プレートと写真と遺品が一体化された簡易ペット仏壇にすることができた。ペットであるが故に仏壇を用意することにためらいがあった人達にも抵抗なく受け入れられ、ペットとの思い出を数多く手元に残すことが可能になった。また、観音式の扉を閉めてしまえば遺品の保管してあることもわかりづらく、正面からはただの写真立てにしか見えないので気軽に人目を気にせず、どこにでも置くことができるようになった。
【図面の簡単な説明】
【０００７】
【図１】本考案の正面図
【図２】本考案の要部断面図
【符号の説明】
【０００８】１  ガラス
２  写真立て
３  前面部分
４  位牌様式プレート
５  観音開きの扉
６  ガラス製蓋付き保管箱
７  真鍮管
８  写真
９  写真安定板
【図１】
0003109254.tif 000003
【図２】
0003109254.tif 000004
(57)【要約】      （修正有）【課題】ガラスケース枠の死角を削減し、ケースの形状を自由に変更でき、人形ケースとしては「和」、「洋」の融合を達成できる。【解決手段】ステンドガラス１を背面に透明ガラス２を側面、前面、天面に使用し長方形に組み上げる。このときガラスとガラスのつなぎ目の接着部にはステンドガラスで使用するハンダ３を使用して組み上げる。枠となる部分がただの一本のラインとなるので死角を減らすことが容易となる。【選択図】図１
0003109255.tif 000002
【実用新案登録請求の範囲】
【請求項１】
複数枚のガラス板を組み合わせてケース状としたものにおいて少なくとも1面以上ステンドガラスを適用したものであることを特徴とする人形ケース。
【請求項２】
前記ステンドガラスは後面部に適用したことを特徴とする請求項１記載の人形ケース。
【請求項３】
前記の複数枚のガラス板は突合せ部において接着剤を介して相互に固定されることを特徴とする請求項1又は２記載の人形ケース。
【請求項４】
ケース背面より照明器具を取り付け可能とした請求項１〜３のいずれか1項に記載の人形ケース。
【請求項５】
前記記載の板ガラスを湾曲に組み合わせていくことにより多角形に接合させる請求項1〜４記載の人形ケース。
【考案の詳細な説明】
【技術分野】
【０００１】
この考案は、人形、置物、装飾物等を観賞するために使用される人形ケース、特にステンドガラスを利用することにより観賞時の死角を最小になし得、「和」と「洋」の融合の取れた人形ケースに関するものである。
【背景技術】
【０００２】
従来の、特に人形ケースにおけるケースの形状はガラスまたは透明樹脂を木枠にはめ込みケースとなるものが主体となっている。ケースとしての利用法としては、上からかぶせる、前面を扉として前から入れる、後ろを扉として後ろからなどさまざまな利用法がありますがそのどれも枠による死角が発生してしまっている。一方死角をなくす方法は様々なされているがそのどれも人形におけるケースとしては「和」である木枠を好む傾向があるために死角の対策にも限度があるのが現状である。また樹脂によるケースにおいては枠を設けずにケースとする方法も取られている例もあるがガラスについては皆無である。
【考案の開示】
【考案が解決しようとする課題】
【０００３】
確かにプラスチック製のものを折り曲げてケースとする方法など枠のないものは存在するがことガラスについては枠を設けなければならない問題点があった。
この考案は、ステンドガラスを使用してケースとしての役割を持たせることでケースの枠になる部分は接合部において接着剤の役割を果たす物、ここではハンダを用いることでハンダのラインのみとなるため死角を最小限にすることができ、またケースの概念を取り払える多角形を自在に表現することができる。
【課題を解決するための手段】
【０００４】
ケースの形状においてガラスを3面以上使用して組み上げる方法からあるが、ここ
ではその手法の中で５面を使用するスタンダードな方法を説明する。まずステンドガラスを背面に透明ガラスを側面、前面、天面に使用し長方形に組み上げる。このときガラスとガラスのつなぎ目の接着部にはステンドガラスで使用するハンダを使用して組み上げる。このことにより従来の枠となる部分がただの一本のラインとなるので死角を減らすことが容易となる。
また５面のガラスのうちどこにどのガラスを使用するかは自由に選択することができ、このときどこの１面を空けておくかによりケースとして上からかぶせるようなものや、後ろから観賞物を入れる又は、横から入れるなどの方法が取れる。当然５面だけでなく湾曲に組み上げていくことにより半球型などの形もとることができる。
またステンドガラスを使用することで背面部が半透明となっているためケース背面より照明器具を取り付けることにより、より効果的な演出を発生させることが可能となった。
【考案の効果】
【０００５】
以上に述べてきたように、本考案は次の優れた効果を発揮する。
ステンドガラス使用によりガラスケースにおける枠の死角の削減。
ケースの形状を自由に変更できる。
人形ケースとしては「和」、「洋」の融合を達成できる。
ケース内の雰囲気をケースの形状やステンドガラス使用面を変更したり、照明器具を取り付けることで容易に可能となる。
【実施例】
【０００６】
従来のような枠を排除することにより、今までにない新しい感覚のケースを提供できる。また個々自由な発想で形を組み上げることがでる点もこの考案の利点である。
本考案における最適な実施例として背面にステンドガラス１を用いたケースを図１に示す。また中に入れる、人形４、置物６、観賞物などを、この考案を使用した人形ケースを使用することによりステンドガラスを変えることで雰囲気を変えていくことが容易となった。
そのほか、ケースを組み上げる上で最低限のガラス使用方法について図２に示す。
ステンドガラス２枚を後ろ側面に使用し、三角すいにくみ上げる方法で最低限のガラス使用3枚からケースとしての役割を持つ方法をとることが可能である。
当然この組み方についてもステンドガラス変更で、雰囲気は自在に変化させることが可能である。
【図面の簡単な説明】
【０００７】
【図１】最適な人形ケースを示した立体図である。
【図２】３面利用の人形ケースの斜視図である。
【符号の説明】
【０００８】
１  ステンドガラス
２  透明ガラス
３  接着ライン  ハンダ
４  人形
５  人形台
６  置物
【図１】
0003109255.tif 000003
【図２】
0003109255.tif 000004
(57)【要約】      （修正有）【課題】身障者や老人などが独りで、即ち介護者など他人の手を借りずに自分で前開きズボンの着用を可能にする。【解決手段】左右前身頃の腰裏帯布地内に対し、巾寸法を凡そ１ｃｍ、長さ寸法を凡そ１２ｃｍ〜１８ｃｍとなしたゴムテープの片端を固着させると共に、ゴムテープの他端は腰裏帯布地内を右前身頃に向かう如くなさしめる共に、腰裏帯布地の適応箇所にスリットを穿設して外方へ取出さしめ、且つこの取出端に対して釦や松葉糸などを取付け、該釦や松葉糸などの突出状態で右前身頃側へ向かって引き延ばし、右前身頃に取付けた釦と係合止着が図れるものとなす。【選択図】図３
0003109230.tif 000002
【実用新案登録請求の範囲】
【請求項１】
前身頃の腰裏帯布地内に対し、巾寸法を凡そ１ｃｍ、長さ寸法を凡そ１２ｃｍ〜１８ｃｍとなしたゴムテープの片端を固着させると共に、該ゴムテープの他端は腰裏帯布地内を右前身頃の釦掛け布片に向かう如くなさしめると共に、当該腰裏帯布地の適応箇所にスリットを穿設して外方へ取出さしめ、且つこの取出し端に対して釦を取付け、該釦の突出状態で右前身頃の釦掛け布片に向かって引き延ばし、両者の係合止着が図れるものとなる構成を特徴としたズボン。
【請求項２】
左右前身頃の腰裏帯布地内に対し、巾寸法を凡そ１ｃｍ、長さ寸法を凡そ１２ｃｍ〜１８ｃｍとなしたゴムテープの片端を固着させると共に、該ゴムテープの他端は腰裏帯布地内を右前身頃に向かう如くなさしめる共に、当該腰裏帯布地の適応箇所にスリットを穿設して外方へ取出さしめ、且つこの取出端に対して松葉糸を取付け、該松葉糸の突出状態で右前身頃側へ向かって引き延ばし、右前身頃に取付けた釦と係合止着が図れるものとなされる構成を特徴としたズボン。
【考案の詳細な説明】
【技術分野】
【０００１】
本考案は男性用前開きズボンに関する。
【背景技術】
【０００２】
男性用の前開きズボンでチャックの開放された状態では、左前身頃地と右前身頃地では互いに垂れ下がり状態になされる。ところで、片手の不自由な身障者や老人などが独りで上記ズボンを着用せんとするさい、専らチャックを引き下げて開放された左右前身頃地の開放状態で行うのであり、従ってこの状態で足通し後の左右前身頃地の引き上げは極めて困難であって、事実上独りでの着用は不可能であり、専ら介護者の手を借りる必要があった。
【特許文献１】特開２００２−０８８５３７
【考案の開示】
【考案が解決しようとする課題】
【０００３】
本考案は身障者や老人などが独りで、即ち介護者など他人の手を借りずに自分で前開きズボンの着用を可能にせんとする提案である。
【課題を解決するための手段】
【０００４】
本考案の１つは前身頃の腰裏帯布地内に対し、巾寸法を凡そ１ｃｍ、長さ寸法を凡そ１２ｃｍ〜１８ｃｍとなしたゴムテープの片端を固着させると共に、該ゴムテープの他端は腰裏帯布地内を右前身頃の釦掛け布片に向かう如くなさしめると共に、当該腰裏帯布地の適応箇所にスリットを穿設して外方へ取出さしめ、且つこの取出し端に対して釦を取付け、該釦の突出状態で右前身頃の釦掛け布片に向かって引き延ばし、両者の係合止着が図れるものとなる構成を特徴としたズボンであり、他の１つは左右前身頃の腰裏帯布地内に対し、巾寸法を凡そ１ｃｍ、長さ寸法を凡そ１２ｃｍ〜１８ｃｍとなしたゴムテープの片端を固着させると共に、該ゴムテープの他端は腰裏帯布地内を右前身頃に向かう如くなさしめる共に、当該腰裏帯布地の適応箇所にスリットを穿設して外方へ取出さしめ、且つこの取出端に対して松葉糸を取付け、該松葉糸の突出状態で右前身頃側へ向かって引き延ばし、右前身頃に取付けた釦と係合止着が図れるものとなされる構成を特徴としたズボンである。
【考案の効果】
【０００５】
本考案になるズボンの佩用にさいしては、上記構成により左前身頃の腰裏帯布地外面へ突出させた釦或いは松葉糸を右前身頃側へ向かって引き延ばし、該釦或いは松葉糸を右前身頃の釦掛け布片と係合状態とすることにより、チャックの開放状態下で左右前身頃の前開き状態を防止するのであり、従って該ズボンの佩用では足通し後のズボンの胴回りを引き上げるさい、単に片手で左右身頃地の何れか片方を持ち上げるようにするだけで、他側身頃地も共に引き上げられるものとなることから、独りでの簡便な佩用を可能にすることができるものとなる。
【考案を実施するための最良の形態】
【０００６】
図１は本考案に係るズボンの胴回り部分の内方を示す平面図、図２は図１のｘ−ｘ線矢示切断側面図である。１は左前身頃の腰裏帯布地であって、２は該腰裏帯布地内へ装着させる巾寸法Sを凡そ１ｃｍ、長さ寸法Lを凡そ１２ｃｍ〜１８ｃｍ程度となしたゴムテープであり、装着にさいしてはその片端ｍを腰裏帯布地側へ固定させ、他端ｎは右前身頃の釦掛け布３に向かう如くなさしめ、その当該腰裏箇所に対しゴムテープ幅より少し大なる寸法のスリット４を穿設し、該スリット４からゴムテープ他端ｎを突出させると共に、該突出端部に釦５を取付けるものとなすのである。
【０００７】
図３は上記釦５をゴムテープ２の弾性で右前身頃側へ引き延ばし、右前身頃の釦掛け布片３の釦ホールｋと係合止着させた状態を示す。即ち本考案ではズボンの佩用にさいし、左前身頃側の腰裏帯布地内へ平素は釦以外を外部から見えないようにしてあるゴムテープ付き釦５を引き出し、右前身頃側の釦掛け布片３と係合させることにより、左右前身頃が輪状の胴廻りを形成させるようになすのであり、この釦掛けで手指の不自由な人は予め家人などにより掛けて貰っておくのであり、さすれば後は上記構成のズボンを床面或いは畳上で上向きに放置した状態で両足を差し込み、このあと右手或いは左手の何れかで左右身頃地の何れか片方を持ち上げるようにすることにより、全体の引き上げが可能となることから独りでの着用が出来るものとなる。
【０００８】
図４は他の実施例を示すものであって、即ち本例では釦５に代わり松葉糸６を取付けたもの、図５はその使用状態を説明するものであり、即ち上記松葉糸６を引き出し、右前身頃側に取付けてある釦７と係合止着させるのであって、使用に於ける作用効果は上記例と同一である。なお、釦７はユ字状金具などの他のものでも良く、本考案は上記例を含め本考案実施の範囲内とする。
【図面の簡単な説明】
【０００９】
【図１】本考案に係るズボンの胴回り部分の内方を示す平面図である。
【図２】図１のｘ−ｘ線矢示切断側面図である。
【図３】使用状態の説明図である。
【図４】他の例の平面図である。
【図５】上記例の使用状態図である。
【符号の説明】
【００１０】
１      腰裏帯布地
２      ゴムテープ
３      釦掛け布片
４      スリット
５      釦
６      松葉糸
【図１】
0003109230.tif 000003
【図２】
0003109230.tif 000004
【図３】
0003109230.tif 000005
【図４】
0003109230.tif 000006
【図５】
0003109230.tif 000007
(57)【要約】【課題】薄い木の板や古紙リサイクルボードは湿度の変化により反つたり、寸法が狂つたりする欠陥がある。【解決手段】薄い板２枚をセメントが主体である接着剤で貼り合わせることにより反らなくなることにより解決した。【選択図】図２
0003109226.tif 000002
【実用新案登録請求の範囲】
【請求項１】
薄い木の板、繊維板、厚紙、古紙リサイクルボード等の薄板2枚をセメントが主体である接着剤で貼り合せることを特徴とする反りの無いしかも厚みの一定な板。
【請求項２】
接着剤層に寒冷紗、テトロンメッシュ、金網等網状物質を入れた後、貼り合せることを特徴とする請求項１に記載の反りの無くかつ厚みの一定な板。
【考案の詳細な説明】
【技術分野】
【０００１】
本考案は住宅用壁板、床板、天井板、断熱材等として好適な板に属する。
【背景技術】
【０００２】
従来から天然の木の柱は、急激な乾燥ではヒビ割れ、反り等が生ずる恐れがあるので１週間位掛けて徐々に乾燥することが行われている。板では、合板は木目が直角になるように単板３枚以上を接着剤で貼り合せて反りの無い板を得ている。
【考案の開示】
【考案が解決しようとする課題】
【０００３】
薄い木の板は湿度の変化により反ったり、寸法が狂ったりする。古紙リサイクルボードも湿度の変化で反りが生じる欠陥がある。
【課題を解決するための手段】
【０００４】
薄い板２枚をセメントが主体である接着剤で貼り合せると、中心にある接着剤層中のセメントが硬化して反らなくなることにより上記課題を解決した。例えば厚さ５〜１０ｍｍの木や古紙リサイクルボード等は湿度で反り易いが、これ等の２枚をセメントが主体である接着剤を用いて貼り合せて反りの無い板を得るものである。
【考案の効果】
【０００５】
以上のようにセメントが主体である接着剤を用いて２枚の薄い板を貼り合わせるので、セメントの硬化により反つたり寸法の狂うことの無い接着剤層が中心に出来、全体として反りの無い寸法の安定した板が得られる。
【実施例】
【０００６】
一例として５０％酢酸ビニルエマルジョンや５０％アクリル樹脂エマルジョン１〜５部、水９〜５部、合計１０部にポルトランドセメント２５部を加えたペーストを接着剤とし、この接着剤をドクターブレードやロールを用いて板（１）または（３）の片面に塗布、その塗布面に他の板（１）´及び（３）´を重ね２本ロールやプレスを用いて貼り合せる。これにより接着剤層（２）を介して２枚の板が張り合わさる。厚さは２本ロールの場合はロールの間隔、プレスの場合はスペーサーを挟んで調節する。接着剤はセメントが入っているから２０〜３０分で使い切る量だけ調整する。寒冷紗、テトロンメッシュ、金網等網状物質（４）を併用するのは接着剤層の厚みを一定にするためと、曲げ強度を補強するために入れる。
【０００７】
接着剤層の厚みは特に規定するものではないが、例えば１〜３ｍｍが適当で、余り厚くすると鋸やカッターで切断出来なくなったり、釘打ちができなくなる。
接着剤に高級アルコール硫酸ナトリウムの如き界面活性剤を加え高速攪拌して気泡をだき込ませれば接着剤層を厚くしても鋸やカッツターで切れ、釘打ちも出来る。
反りを無くする目的で薄いアルミニウム板や発泡スチロール板や［図３］の（４）（５）の如き予め固めた薄いセメントの板等を接着剤層（５）と併用することも出来る。
接着とセメントの硬化が完了する迄必要があれば２枚の板の組み合わせ数十組をコールドプレスやタンバックルで締めて放置すればよい。
【０００８】
用いた古紙リサイクルボード（３）の組成は例えば特開２００１−７３３００号記載のものは
段ボールや新聞古紙                  ７０〜８０部
セピオライト、珪藻土等濾過助剤      ２０〜３０部
アクリル樹脂等樹脂                  ２０〜３０部
硫酸バンド、明礬等凝集剤            ０・０５〜０・２部
である
之にセメントを加えた次の如き組成のものはコーンカロリーメーター試験では難燃に該当する。
古紙                  ２３％
セピオライト            ６％
アクリル樹脂            ３％
硫酸バンド              ０・６％
高炉セメント          ６７・４％
更にセメントを増やし古紙約１１％で準不燃、更にセメントを増やすと不燃ボードになる。  
【図面の簡単な説明】
【０００９】
【図１】薄い木の板をセメントが主体である接着剤で貼り合わせた本案の反りの無い板の断面図
【図２】古紙リサイクルボード２枚をセメントが主体である接着剤で貼り合せた本案の反りの無い板の断面図。
【図３】セメントが主体である接着剤と網状物質を併用した反りの無い板の断面図
【図４】セメントが主体である接着剤と発泡スチロールの板を併用した反りの無い板の断面図
【符号の説明】
【００１０】
１、１´  薄い木の板
２        セメントが主体である接着剤層
３、３´  古紙リサイクルボード
４      網状物質
５      セメントが主体である接着剤
６      発泡スチロール板    
【図１】
0003109226.tif 000003
【図２】
0003109226.tif 000004
【図３】
0003109226.tif 000005
【図４】
0003109226.tif 000006
(57)【要約】  【課題】本体内を減圧状態にして，燃焼の無い炭化・蒸発を行い蒸気・煙・等を凝縮させ水タンク内に凝集させるため、燃焼熱・煤煙・等の公害を撒き散らす事なく炭化減容効果が提供出来る。【解決手段】所望の品物を収納して庫内を真空に引きつつ粉砕攪拌を行い庫内を加熱し３００℃短時間蒸発乾燥温度〜５００℃炭化に必要な温度で水分・油分・の蒸発又固形物粉砕炭化減容化する真空装置に蒸気凝縮を含んで形成する真空炭化減容装置。  【選択図】図１
0003109279.tif 000002
【実用新案登録請求の範囲】
【請求項１】
所望の品物を庫内に収納し真空に引きつつ粉砕攪拌を行い
無酸素状態で３００℃〜５００℃まで加熱し
水分・油分・の蒸発又固形物を炭化減容し
発生した蒸気を凝縮させる事を特徴とする真空炭化減容装置。
【考案の詳細な説明】
【技術分野】
【０００１】
本考案は、真空式の炭化減容装置の改良に関する。
【背景技術】
【０００２】
生ゴミ処理は時間を掛け発酵させ、たい肥・コンポスト状にする又は
焼却処分又は乾燥減容が一般的であつた。
しかし減容率が悪い又再発酵したりダイオキシン・煤煙など公害を発生させ
適当でなかった。
【考案の開示】
【考案が解決しようとする課題】
【０００３】
本考案は、上記の実情を鑑みてなされたもので
真空下で高温状態を作り粉砕攪拌を行い
真空炭化減容を無酸素状態で行おうとするものである。
【課題を解決するための手段】
【０００４】
本考案減容装置は、所望の品物を庫内に収納し真空に引きつつ粉砕攪拌を行い
無酸素状態で３００℃〜５００℃まで加熱し
水分・油分・の蒸発又固形物を炭化減容し
発生した蒸気を凝縮させる事を特徴として構成させる。
【考案の効果】
【０００５】
本考案は以上の構成に基ずくものであるから
食品残渣等の炭化減容化に真空と加熱・攪拌による燃焼の無い炭化・蒸発を行い蒸気・煙・等を凝縮させ又燃焼熱・煤煙・等の公害を撒き散らす事なく
簡易にかつ、十分効果的に炭化減容しうるものである。
【考案を実施するための最良の形態】
【０００６】
本考案ゴミ炭化減容装置は、
ａ.所望ゴミを収納して本体内を概ね真空状態に減圧せしめる真空缶体と、
ｂ.真空缶体に導管を通じ缶体を真空に引続け凝縮真空のできる真空機と、
ｃ.加熱装置は、本体内所望収納物を乾燥・炭化が行える熱量をもつものと、
ｄ.缶体内所望収納物の粉砕・攪拌のできる構造の回転羽根からなる。
本考案装置の主要部である無酸素状態の加温では燃焼しないため
酸化及び酸化化合物の発生を阻止でき又不燃焼のため
燃焼熱も発生しないで即炭化し減容し極少量の粉末活性炭ができた。
【実施例１】
【０００７】
図１は、本考案に係る所望ゴミ炭化減容装置に係る
実施例を示す縦断面図である。
図1において、内容積約１２０リットルの
加熱・粉砕・攪拌・装置付き
真空缶体1には所望の品Ａ例えば食物残渣１００ｋｇが収納されている
真空缶体１は、加圧水ポンプ３を介し水エゼクター２を用いて
凝縮しタンク７内に凝集・減圧する。
【０００８】
と同時に、真空缶体１の電気ヒーターを備えた加熱装置６が始動し
約３００℃短時間蒸発乾燥温度〜５００℃炭化に必要な温度まで加熱を行い
乾燥及び炭化を行う。
【０００９】
と同時に、真空缶体１の粉砕・攪拌装置減速モーター５を介し
粉砕・攪拌羽４が回転を開始し約７回／分の回転にて
粉砕・攪拌を行う。
【００１０】
約９０分後に完了する。
装置内には極僅かの活性炭粉末が出来上がる。
【産業上の利用可能性】
【００１１】
本体内を減圧状態にして，燃焼の無い炭化・蒸発を行い蒸気・煙・等を凝縮させ
水タンク内に凝集させるため、燃焼熱・煤煙・等の公害を撒き散らす事なく炭化減容効果が提供出来る。
【図面の簡単な説明】
【００１２】
【図１】本考案に係る炭化減容装置の実施例を示す縦断面図である。
【符号の説明】
【００１３】
１    真空減容缶体
２    水エゼクター
３    圧水ポンプ
４    攪拌羽
５    減速モーター
６    加熱装置
７    水タンク
【図１】
0003109279.tif 000003
(57)【要約】【課題】玉落、玉抜きをする際の音、衝撃を緩和すると共に玉等を収納する状態を少ないのを大きく見せる方法と、玉等が収納されていない状態の時でも、お店のＰＲが出来る様にする。【解決手段】パチンコ玉スロットメダル収納箱４の中にウレタン樹脂３を装着させるそのウレタン樹脂３上部に別物印刷物２（広告宣伝媒体）を敷き、その印刷物を透明樹脂シート１左右に爪の出た物を印刷物２の上にカバーして、左右の爪をウレタン樹脂３の隙間にはさみ込んで用いる。【選択図】図３
0003109278.tif 000002
【実用新案登録請求の範囲】
【請求項１】
上面の開口した合成樹脂製箱体と箱体の底部に敷設するウレタン樹脂とウレタン樹脂の表面に積尺された印刷広告物とを備えた広告付きパチンコ玉箱。
【請求項２】
印刷広告物の上に透明樹脂シートをさらに備えた請求項１に記載の広告付きパチンコ玉箱。
【請求項３】
透明樹脂シートが着脱可能である請求項２に記載の広告付パチンコ玉箱。
【考案の詳細な説明】
【考案の詳細の説明】
【技術分野】
【０００１】本考案は、パチンコホールにおいて。遊技者等がパチンコ玉、スロットメダルの運搬に使用する収納箱４に関する。
【背景技術】
【０００２】従来のパチンコ玉収納箱４において、音を低減するために玉箱の内側にゴムシート等３を張った物が有る。【０００３】従来のパチンコ玉スロットメダル収納箱４は、パチンコ玉、スロットメダルを収納するだけの物で有ったのが現状である。
【考案の開示】
【考案が解決しようとする課題】
【０００４】パチンコ玉スロットメダル収納箱４を横長タイプに大きくしその内径にウレタン樹脂３を敷きつめる事でパチンコ玉等を収納箱に入れた際に少なくてもボリュウム感を持たせることが出来るし、又パチンコ玉等が収納箱に無い時でもウレタン上部に広告物２をのせその上に透明の樹脂シート１でカバーする事でお客様にお店の広告や新規機種台のＰＲも出来るのがこの考案の目的である。
【課題を解決するための手段】
【０００５】この目的はパチンコ玉スロットメダル収納箱４に合成樹脂製のウレタン樹脂３を敷きつめた上部に印刷物２を乗せ別物透明樹脂シート１で固定させて達成することが出来る。
【考案の効果】
【０００６】パチンコ玉スロットメダル収納箱４に印刷物２を入れる事でパチンコ玉等が入っていない状態の時でもお店のＰＲにもなるし新機種が出た際の顧客を呼び込む為の要因にもなる。又、パチンコ玉スロットメダルが出た際に積み上げていくことでボリューム感を持たせることが出来、顧客の目をとらえて。次の新たな客を呼び込む要因にもなる。
【考案を実施するための最良の形態】
【０００７】パチンコ玉スロットメダル収納箱４の中にウレタン樹脂３を敷きつめてその上部前面に印刷物２を乗せ、更にその印刷物を固定させるべく透明樹脂シート１（左右に爪を立てた物）を印刷物２の上にあてがって左右の爪をウレタン樹脂３とパチンコ玉箱４の隙間にはさみ込んで用いられる。
【実施例】
【０００８】差し替え可能な印刷物２は、パチンコ店の案内、ＣＭ、メッセージ、広告、新台の情報等を表示し、透明樹脂シート１は取り付け、取り外しが容易に行えるので掃除や差し替えが簡単に行える。【０００９】なお、この実施例では着脱可能な透明樹脂シート１を備えた箱を例示したが、本考案はこれに限定されない。つまり、透明樹脂シートは取り外しが出来ない態様であっても良い。また、透明樹脂シートが無い態様であっても良い。
【図面の簡単な説明】
【図１】パチンコ玉スロットメダル収納箱４にウレタン樹脂３と印刷広告物２と透明樹脂シート１を装着した際の平面図である。
【図２】パチンコ玉スロットメダル収納箱４とウレタン樹脂３と印刷物２と透明樹脂シート１を装着した際の立面図である。
【図３】パチンコ玉スロットメダル収納箱４の箱体とウレタン樹脂３と印刷物２と透明樹脂シート１を分離して示す斜視図である。
【符号の説明】
１、透明樹脂シート
２、印刷物、広告宣伝媒体、紙、フィルム、等
３、ウレタン樹脂
４、パチンコ玉スロットメダル収納箱
【図１】
0003109278.tif 000003
【図２】
0003109278.tif 000004
【図３】
0003109278.tif 000005
(57)【要約】      （修正有）【課題】印刷物に点字表示することで視覚障害者が自分の力で商品や情報を得る手段が出来、精神的自立、個性、プライバシー保護を可能な限り達成すること。【解決手段】印刷物本体１に点字・形状３を印刷する。点字・形状は例えば、高さ３３０μ以上である。【効果】商業印刷物に高さ３３０μ以上の点字や形状をスクリーン印刷したことで、視覚障害者が安心して、自分一人で商品の選別や情報の取得が可能となる。【選択図】図１
0003109280.tif 000002
【実用新案登録請求の範囲】
【請求項１】
スクリーン印刷法により、高さ３３０μ以上とした点字や形状を印刷した印刷物。
【考案の詳細な説明】
【技術分野】
【０００１】
この考案は、吊り下げラベルや会社案内、パンフレット、化粧箱、ＤＭ、はがき、シーール等のあらゆるスクリーン印刷物。
【背景技術】
【０００２】
私たちが普段目にする現状の商業印刷物においては、ほとんどが図３に示すように、印刷物本体１に文字・絵柄２が印刷されただけで、点字表示がない印刷物である。 
【考案の開示】
【考案が解決しようとする課題】
【０００３】
しかしながら、以上の技術によれば、視覚障害者が自分の力で商品を選別したり、情報を得ることが全く不可能である。そこで、この考案は、印刷物に点字表示することで視覚障害者が自分の力で商品や情報を得る手段が出来、精神的自立、個性、プライバシー保護を可能な限り達成することを課題とする。
【課題を解決するための手段】
【０００４】
以上の課題を解決するために、この考案は、スクリーン印刷法により、高さ３３０μ以上の点字や形状を印刷したことを特徴とする印刷物である。本考案は、印刷した点字や形状の高さを３３０μ以上であることが必要である。３３０μ以下では、視覚障害者が字形や図形を正確に読取りにくく、長時間の読取りは疲労してしまう。
【考案の効果】
【０００５】
この考案によれば、商業印刷物に高さ３３０μ以上の点字や形状をスクリーン印刷したことで、視覚障害者が安心して、自分一人で商品の選別や情報の取得が可能となる。
【考案を実施するための最良の形態】
【０００６】
以下のとおりである。
【実施例１】
【０００７】
この考案の一実施形態を、図１に示す。印刷物の本体１は紙、布、木製品等であり、
この本体１に、文字・絵柄２が印刷される。この印刷物１には高さ３３０μ以上の点字・形状３も同時に印刷される。
【０００８】
この実施形態によれば、このようにした印刷物１は、点字・形状３の働きで、印刷物本体１を指で触れることにより、視覚障害者が一人で全ての情報を得られることが出来る。この考案の印刷技術は、既存の最も適切な製法であるスクリーン印刷を採用しているため、耐久性を備えることが可能である。また、量産も可能であり、生産期間やコストも常識の範囲内で納まるものであり、採用が容易と考える。
【実施例２】
【０００９】
実施例１は、印刷物本体１に文字・絵柄２と高さ３３０μ以上の点字・形状３とを印刷したものであったが、実施例２では、文字・絵柄２部分そのものに高さを設けた。
【図面の簡単な説明】
【００１０】
図３と図４は従来品を示す。これは通常は手や指で触れても何も感じることが出来ない。また、見た目の立体感も感じることが出来ない。
【図１】この考案の一実施形態を示す斜視図である。
【図２】図１の断面図である。
【図３】従来技術を示す斜視図である。
【図４】図３の断面図である。
【符号の説明】
【００１１】
１  印刷物本体
２  文字・絵柄
３  点字・形状
【図１】
0003109280.tif 000003
【図２】
0003109280.tif 000004
【図３】
0003109280.tif 000005
【図４】
0003109280.tif 000006
(57)【要約】【課題】本考案は仕事、スポーツ中、流れ出る汗を、汚れた手を使用せずに汗を吸い取ることを課題とした。【解決手段】腕巻きハンカチは伸縮構成チューブからなり、素材をタオル、綿状にすることで解決手段とした。【選択図】図１
0003109218.tif 000002
【実用新案登録請求の範囲】
【請求項１】
腕巻きハンカチは伸縮チューブ構成からなり、タオル、綿素材を使用することを特徴とする腕巻きハンカチ。
【考案の詳細な説明】
【技術分野】
【０００１】本考案は汗拭きに関する。
【背景技術】
【０００２】従来に腕の長いロングの手袋、おしゃれ用ブレスレットなどがあり、汗拭き物として使用されてる物ではなかった。
【考案の開示】
【考案が解決しようとする課題】
【０００３】仕事、スポーツ時に流れる汗を、腕の長いロング手袋、おしゃれ用ブレスレットでは汗を拭き取るには欠点がある。
【課題を解決するための手段】
【０００４】本考案の腕巻きハンカチは、腕に、チューブ伸縮構成にして腕を挿入、素材をタオル、綿からなり、汗を吸い取りやすくすることで上記課題を解決するものである。
【考案を実施するための最良の形態】
【０００５】図１に示すように、腕巻きハンカチは腕に巻き付けるため、チューブ形態にして素材を汗を吸い取りやすい、タオル、綿状でチューブを伸縮もできる形態とした。【０００６】仕事、スポーツ時、手が汚れて、タオル、ハンカチを掴むことが出来ない時でも手を使用せず、腕巻きハンカチで汗を簡単に吸い取ることができる形態とした。
【考案の効果】
【０００７】本考案に係る腕巻きハンカチは、仕事、スポーツ中に出る汗を汚れた手を使用せずに簡単に吸い取る効果がある。
【図面の簡単な説明】
【図１】    本考案に係る腕巻きハンカチの腕に取り付けた工程図である。
【符号の説明】
１    腕
２    伸縮構成チューブ、素材、タオル、綿、
【図１】
0003109218.tif 000003
(57)【要約】【課題】主成分として、珪藻土を使用することにより切削可能な鉛筆本体を成形し、焼成することによりセラミックス鉛筆を提供する。【解決手段】珪藻土及び粘土など適正な原料からなる坏土を押出成形、圧力鋳込製などで棒状に成形し、適正な硬度が得られる温度で焼成した後、先端部にあけられた細穴に鉛筆芯を装着したセラミックス鉛筆。【選択図】図１
0003109219.tif 000002
【実用新案登録請求の範囲】
【請求項１】
鉛筆本体を珪藻土を主成分としたことを特徴とするセラミックス鉛筆。
【請求項２】
珪藻土及び粘土から成る陶磁器原料に水分を加えた坏土から成る鉛筆本体と、該鉛筆本体の軸の先端部に形成した孔の鉛筆用の芯とから成るセラミックス鉛筆。
【考案の詳細な説明】
【技術分野】
【０００１】  本考案は、筆記具として使用し、切削可能なセラミックス鉛筆に関するものである。
【背景技術】
【０００２】  従来の鉛筆の軸は木製、まれに樹脂製に限られ、その商品の特徴は書き味に関する芯の品質や消しゴムが付属するなど機能面を訴えるほかは、鉛筆軸に施された絵柄、パターンなどの文様あるいは文字、時として立体のマスコットなどを付属させる方法で商品性を高めることは知られている。【０００３】  しかし、これらの商品性を高めるものとしての限界があり、みやげ物や記念品にするには物足らなさがあった。【０００４】  筆記具としての鉛筆はどうしても使用をかさねるごとに芯が磨耗していくため、削りながら新たな芯を出す事が必須であり、木質材料に限定されるものであった。従って、みやげ物や記念品にするには鉛筆にキャップをすることで意匠の向上や、文字・図形を鉛筆に付加するしかないと言う欠点があった。【０００５】  この改善策として、鉛筆の本体をプラスチックで製作した所謂シャープペンシルのようにするしかなく削りながら使用する本来の鉛筆とは程遠いものとなっている。
また、繰り出し鉛筆の機能とボールペンの機能とを併有するものなど機能の向上を考えたものしかなく、複雑であり、高価なものとなっている。
【特許文献１】特開２０００−１６８２８８号公報
【考案の開示】
【考案が解決しようとする課題】
【０００６】  解決しようとする問題点は、鉛筆の材料として新規なセラミックスを利用し、切削可能となすことである。
【課題を解決するための手段】
【０００７】  本考案は、セラミックスの本体であるが鉛筆削りや小刀で切削可能と成すため珪藻土を主成分とするセラミックスにより製作することを最も主要な特徴とする。
【考案の効果】
【０００８】  本考案のセラミックス鉛筆は、児童を対象にした工作教室、焼き物教室などの開催によって楽しく物作りを体験でき、完成した鉛筆も含め教材として活用が見込まれる。
また、イベントや販売促進の景品、記念品など多方面での活用が期待できる方法である。
【考案を実施するための最良の形態】
【０００９】  珪藻土を使用することにより、切削可能であり、その必要強度を得る事のできるセラミックス鉛筆を実現した。
【実施例１】
【００１０】  以下、本考案を具体化した実施形態を図面に基づき説明する。
実施形態１の削ることが可能な焼き物鉛筆は図１，２，３に示すように焼き物の軸と芯からなる。【００１１】  軸は各種陶磁器原料を適正配合した坏土に圧力を加え、円形、矩形、星形などの穴が開けられた口金から押出し、それぞれの形状の断面をもつ棒状に成形する。【００１２】  原料として一般的な磁器坏土でも可能であるが、微細に粉砕した珪藻土に２５％程度の粘土を混合した坏土は良好な結果を得ることができる。押出成型時には原料に約２５％程度の水分を加えるが、多すぎると成形は安易になるが、曲りなどのひずみが生じたり、破損しやすいものになる。少なすぎる場合は成形が困難になる。珪藻土は珪藻と呼ばれる植物プランクトンの死骸が長い年月かかって化石化した土である。直径は数〜数十ミクロンで、１ミクロン以下の無数の細穴の空隙が形成されている。その結果刃物で削る場合にも削りやすい原料である。【００１３】  また、焼成後の物理的な特性である強度、硬度、使用時の感性評価として握った時の重量感、触感、見た目の色・艶とも良好である。また、珪藻土は吸排湿特性にすぐれ、健康素材として注目されているので、好ましいイメージを持つ素材である。【００１４】  鉛筆本体の軸に、芯の入る細穴は押出成形時あるいは成形後に鋼線を用いて開けておく。場合によっては成形した軸を乾燥後に、ドリルを使用し開けることもできる。【００１５】  焼成は温度管理が重要である。珪藻土を用いた場合は８００℃、磁器土を用いた場合は９５０℃で焼成する。温度が高すぎる場合堅く焼き締まり、削ることができなくなり、逆に低い場合は強度が低く、特に水に濡れた場合脆弱である。【００１６】  次に製造方法を説明すると、珪藻土７０重量部〜８０重量部に対し、粘土を２０重量部〜３０重量部を混練し、所望の鉛筆断面形状に形成された口金により、押し出し成型し、その後例えば１２０ｍｍ長に切断する。その後１〜２日間乾燥させ、黒鉛からなる鉛筆芯材を装着すべく孔を一端面より開孔し、７５０℃〜１０００℃で、好ましくは７５０℃〜９００℃で焼成する。焼成後、芯を軸の穴に挿入するが、接着剤を少量用いて固着を確実のものとする。
【実施例２】
【００１７】  実施例１の削ることが可能な焼き物鉛筆は図４，５に示すように焼き物の軸と芯からなる。【００１８】  軸に用いる原料および焼成方法は実施形態１と同様である。軸に用いる坏土は適度な可塑性を有するため、実施形態１に示した押し出しによる成形以外にも、様々な方法が考えられる。【００１９】  図４は軸を具象的な形に成形した例である。魚の形をした原型を作製し、石膏を用いて雌型を作る。この雌型に坏土を圧入または流し込むと魚の形をした軸を作製できる。また練った適量の坏土を押しつけることによっても魚の形の軸を作製できる。【００２０】  石膏型を用いた軸の作製は型さえ用意すれば簡単に作ることができるので、小学生以上を対象にした工作教室、焼き物教室などの開催によって楽しく物作りを体験でき、完成した鉛筆も含め教材として活用が見込まれる。【００２１】  図５は図４と同様に型を用いた装飾例である。石膏型に文字やパターンなどの彫刻を施すと、成形された鉛筆の表面に凹凸により、文字やパターンが再現される。
【産業上の利用可能性】
【００２２】  切削可能なため、鉛筆本体単面や側面を利用して、自由な凹凸模様を表出する事ができるばかりでなく、単面を利用した刻印としての利用も可能である。
【図面の簡単な説明】
【００２３】
【図１】本考案に係る鉛筆の斜視図である。
【図２】他の実施例に係る鉛筆の斜視図である。
【図３】他の実施例に係る鉛筆の斜視図である。
【図４】他の実施例に係る鉛筆の斜視図である。
【図５】他の実施例に係る鉛筆の斜視図である。
【図６】他の実施例に係る鉛筆の斜視図である。
【符号の説明】
【００２４】  １…軸
２…芯
３…消しゴム
【図１】
0003109219.tif 000003
【図２】
0003109219.tif 000004
【図３】
0003109219.tif 000005
【図４】
0003109219.tif 000006
【図５】
0003109219.tif 000007
【図６】
0003109219.tif 000008
(57)【要約】      （修正有）【課題】この考案は、ポリオレフィン系発泡材等の柔軟な素材を使用し成形される風車用翼及び風車翼固定用アームに関するものである。【解決手段】翼１又は翼固定用アーム２の内部に高い剛性又は靭性を有する棒状又は管状又は板状の芯材を内蔵する。【選択図】図１
0003109220.tif 000002
【実用新案登録請求の範囲】
【請求項１】
直線（５）を中心軸とする仮想円柱側面（７）又は円錐側面（１０）の面上に配置され、同側面（７）又は（１０）に沿って直線（５）を中心に回転する、ポリオレフィン系等の合成樹脂を原料とする柔軟な発泡材を使用し、成形した風車用の翼（１）で、芯材（２）として剛性又は靭性を有す棒材又は管材又は板材を、１本又は２本以上配したもの。
【請求項２】
請求項１の翼を、直線（５）を中心に回転するシャフト（８）に固定する為に、ポリオレフィン系等の合成樹脂を原料とする柔軟な発泡材を使用し、成形した風車翼固定用アーム（３）で、芯材（４）として剛性又は靭性を有す棒材又は管材又は板材を１本又は２本以上を配したもの。
【考案の詳細な説明】
【考案の詳細な説明】
【技術分野】
【０００１】この考案は、ポリオレフィン系等の合成樹脂を原料とする柔軟な発泡材を使用し成形される風車用翼及び風車翼固定用アームに関するものである。
【背景技術】
【０００２】安全性の観点より、風車用の翼の素材として発泡材等の柔軟性の高いものが研究されているが、直線（５）を中心とする仮想円柱側面（７）又は円錐側面（１０）に沿って、翼部が回転する風車において、その翼（１）又は翼固定用アーム（３）には、回転時に翼全面に作用する遠心力又は固定用アームに作用する翼重量の為、柔軟性は高いが、剛性又は靭性に乏しい素材は、風車の作動中に著しい変形が生じ、実用に不向きであった。
【考案が解決しようとする課題】
【０００３】本案は、柔軟性の高い素材を使用し、成形する翼部又は翼固定用アーム部の表層を軟質に保ち、一方、その内部に剛性、靭性を有する芯材を配することにより、風車作動中の変形を最小限にとどめることを可能にし、風車用の翼部又は翼固定用アーム部への柔軟素材の実用化を図るものである。
【課題を解決する為の手段】
【０００４】翼（１）又は翼固定用アーム（３）の内部に高い剛性又は靭性を有する棒状又は管状又は板状の芯材を内蔵する。
【考案を実施するための最良の形態】
【０００５】本考案の実施に当たって、次の如きことが出来る。
（イ）  シャフト（８）の回転を発電機に伝達し、風力発電機用タービンとして使用する。
（ロ）  シャフト（８）の回転をポンプ、攪拌機、ファンなどに伝達し、原動機として使用する。
【考案の効果】
【０００６】翼又は翼固定用アームに、柔軟な素材を使用することにより、市街地における風車の作動の安全性を飛躍的に高めることが出来る。
【図面の簡単な説明】
【０００７】
【図１】図１（ａ）は請求項１に述べられた翼の正面図及び断面図、同図（ｂ）は同図（ａ）におけるＡ−Ａ矢視断面図。
【図２】図２（ａ）は請求項２に述べられた翼固定用アームの平面図、同図（ｂ）は同図（ａ）におけるＢ−Ｂ矢視断面図。
【図３】仮想円柱側面上に翼を配置した風車の斜視図
【図４】仮想円錐側面上に翼を配置した風車の斜視図
【符号の説明】
【０００８】１は翼
２は翼部芯材
３は翼固定用アーム
４は翼固定アーム部芯材
５は回転する風車の中心となる直線
６は仮想円柱
７は仮想円柱側面
８はシャフト
９は仮想円錐
１０は仮想円錐側面
【図１】
0003109220.tif 000003
【図２】
0003109220.tif 000004
【図３】
0003109220.tif 000005
【図４】
0003109220.tif 000006
【手続補正書】
【提出日】平成16年11月2日(2004.11.2)
【手続補正１】
【補正対象書類名】実用新案登録請求の範囲
【補正対象項目名】全文
【補正方法】変更
【補正の内容】
【実用新案登録請求の範囲】
【請求項１】
直線（５）を中心軸とする仮想円柱側面（７）又は仮想円錐側面（１０）の面上に配置され、仮想円柱側面（７）又は仮想円錐側面（１０）に沿って直線（５）を中心に回転する、ポリオレフィン系等の合成樹脂を原料とする柔軟な発泡材を使用し、成形した風車用の翼（１）で、芯材（２）として剛性又は靭性を有す棒材又は管材又は板材を、１本又は２本以上配したもの。
【請求項２】
請求項１の翼を、直線（５）を中心に回転するシャフト（８）に固定する為に、ポリオレフィン系等の合成樹脂を原料とする柔軟な発泡材を使用し、成形した風車翼固定用アーム（３）で、芯材（４）として剛性又は靭性を有す棒材又は管材又は板材を１本又は２本以上を配したもの。
(57)【要約】【課題】  使用者の好みに応じて任意に湾折定型可能で、様々な風格のデザインを表現することができ、多様な変化に富んだ形状を思う存分現出可能で、帽子全体の使用機能を増進する帽子の可変定型ひさし構造を提供する。【解決手段】  主に構造設計上、帽子本体のひさし部分の設計に改良を加える。すなわち、該ひさし構造体は高密度ポリエチレン(HDPE)材質により製造し、外側はさらに一層の布で覆い、さらに該帽子本体と縫製し構成する。この高密度ポリエチレン(HDPE)材質のひさし設計により、該ひさしは使用者の好みに応じて任意に湾折定型可能となる。【選択図】  図  ２
0003109281.tif 000002
【実用新案登録請求の範囲】
【請求項１】
主に構造設計上、帽子本体のひさし部分の設計に改良を加え、
該ひさし構造体は高密度ポリエチレン(HDPE)材質よりなり、外側はさらに一層の布で覆い、さらに該帽子本体と縫製してなり、
これにより使用者の好みに応じて該ひさしを任意に湾折定型可能であることを特徴とする帽子の可変定型ひさし構造。
【考案の詳細な説明】
【技術分野】
【０００１】
本考案は一種の帽子の可変定型ひさし構造に関する。特に一種の任意に湾折定型可能なひさしで、該ひさしは各種形状に変更可能で、ひさしのデザインを自在に変更する機能を十分に発揮する帽子の可変定型ひさし構造に係る。
【背景技術】
【０００２】
通常一般の帽子のひさし構造は、布を用い一層の板を覆い構成する。その形状は固定状で、すなわち湾折後もまたすぐに原状を回復してしまう。そのため、そのひさし構造は型式において単調で、おもしろみに欠け、変化と新鮮味がないという印象を否めない。
【考案の開示】
【考案が解決しようとする課題】
【０００３】
本考案は上記構造の問題点を解決した帽子の可変定型ひさし構造を提供するものである。
それは、ひさしの新奇な構造体設計で、使用者の好みに応じて、各種形状、デザインに自在に湾折、変化させることができ、かつ定型し、着用することができ、使用において優れた効果を十分に発揮することができる。
【課題を解決するための手段】
【０００４】
上記課題を解決するため、本考案は下記の帽子の可変定型ひさし構造を提供する。
それは主に構造設計上、帽子本体のひさし部分の設計に改良を加え、
すなわち、該ひさし構造体は高密度ポリエチレン(HDPE)材質によりなり、外側はさらに一層の布で覆い、さらに該帽子本体と縫製してなり、
この高密度ポリエチレン(HDPE)材質のひさし設計により、該ひさしは使用者の好みに応じて任意に湾折定型可能となることを特徴とする帽子の可変定型ひさし構造である。
【考案の効果】
【０００５】
上記のように、本考案は公知の単調で面白みに欠けるひさしの型式を大きく変え、使用上の必要に応じて、ひさしは湾折させ必要とする各種デザインを表現可能である。こうして自在、多彩に変化させ、新奇性を具え、帽子全体の使用機能及び価値を高めることができる。
【考案を実施するための最良の形態】
【０００６】
図１に示すように、本考案は構造設計上、主に帽子本体２０ひさし２１部分の設計に改良を加える。すなわち、該ひさし２１構造体は高密度ポリエチレン(HDPE)材質により製造し、外側はさらに一層の布２２で覆い(図８参照)、さらに該帽子本体２０と縫製し構成する。この高密度ポリエチレン(HDPE)材質のひさし２１設計により、該ひさし２１は使用者の好みに応じて任意に湾折定型可能で、様々な風格のデザインを表現することができる。これにより、使用者は多様な変化に富んだ形状を思う存分現出可能で、帽子全体の使用機能を増進する。
【０００７】
次に図１に示す一般形状の帽子本体２０は、本考案の設計により、該ひさし２１を各自の好みに応じて湾折し、図２~７の形状に成すことができる。形状は使用者が自在に湾折、変更することができ、しかも定型が容易である。
さらに図９に示すように、本考案帽子本体２０設計はサンバイザー２３などの各式帽子本体上に応用可能である。
【図面の簡単な説明】
【０００８】
【図１】本考案の立体図である。
【図２】本考案のひさしの湾折指示図である。
【図３】本考案のひさしの湾折指示図である。
【図４】本考案のひさしの湾折指示図である。
【図５】本考案のひさしの湾折指示図である。
【図６】本考案のひさしの湾折指示図である。
【図７】本考案のひさしの湾折指示図である。
【図８】本考案のひさしの断面図である。
【図９】本考案をサンバイザーに応用する立体図である。
【符号の説明】
【０００９】
２０  帽子本体
２１  ひさし
２２  布
２３  サンバイザー
【図１】
0003109281.tif 000003
【図２】
0003109281.tif 000004
【図３】
0003109281.tif 000005
【図４】
0003109281.tif 000006
【図５】
0003109281.tif 000007
【図６】
0003109281.tif 000008
【図７】
0003109281.tif 000009
【図８】
0003109281.tif 000010
【図９】
0003109281.tif 000011